(57)【特許請求の範囲】
【請求項１】
放電器により送信されるビーコン信号に含まれる前記放電器を特定する識別情報を、ユーザが操作する携帯端末から受信する第１受信部と、
前記放電器の給電ケーブルが車両に接続された場合に、当該車両に搭載されるバッテリから電力を放電することに対して付与される報酬の種別及び前記バッテリから放電できる充電率の下限を設定するための画面情報を前記携帯端末に送信する送信部と、
前記報酬の種別及び前記充電率の下限を含む情報を、前記携帯端末から受信する第２受信部と、
前記報酬の種別に対応する外部システムに前記報酬を付与するように依頼し、放電を開始するように前記放電器に要求する制御部と、
を備え、
前記第１受信部は、前記放電器に対応するバーコード情報を、前記携帯端末からさらに受信し、
前記制御部は、前記識別情報及び前記バーコード情報に基づいて、前記放電器を特定する、
放電制御装置。
【請求項２】
前記第１受信部は、前記携帯端末が存在する位置を示す位置情報を、前記携帯端末からさらに受信し、
前記制御部は、前記位置情報と前記放電器の設置位置との整合性を判定する、
請求項１記載の放電制御装置。
【請求項３】
前記制御部は、前記バッテリから前記放電器に供給された電力を、電力系統に送電させる、
請求項１又は請求項２記載の放電制御装置。
【請求項４】
プロセッサにより実行される放電制御方法であって、
放電器により送信されるビーコン信号に含まれる前記放電器を特定する識別情報を、ユーザが操作する携帯端末から受信する第１ステップと、
前記放電器の給電ケーブルが車両に接続された場合に、当該車両に搭載されるバッテリから電力を放電することに対して付与される報酬の種別及び前記バッテリから放電できる充電率の下限を設定するための画面情報を前記携帯端末に送信する第２ステップと、
前記報酬の種別及び前記充電率の下限を含む情報を、前記携帯端末から受信する第３ステップと、
前記報酬の種別に対応する外部システムに前記報酬を付与するように依頼し、放電を開始するように前記放電器に要求する第４ステップと、
を含み、
前記第１ステップは、前記放電器に対応するバーコード情報を、前記携帯端末からさらに受信し、
前記第４ステップは、前記識別情報及び前記バーコード情報に基づいて、前記放電器を特定する、
放電制御方法。
【発明の詳細な説明】
【技術分野】
【０００１】
本発明は、放電制御装置及び放電制御方法に関する。
【背景技術】
【０００２】
近年、電気自動車の普及に伴い、電気自動車への充放電サービスが徐々に普及しつつある。例えば特許文献１には、充放電スタンドを操作し、電気自動車のバッテリに充電することや、電気自動車のバッテリから放電させる充放電装置が開示されている。この充放電装置において、充放電スタンドの操作パネルで放電が指定されると、電気自動車のバッテリに蓄えられた電力が充放電スタンドに供給され、放電電力量に応じた金額が充放電スタンドから出金される。
【先行技術文献】
【特許文献】
【０００３】
【特許文献１】特開２０１１−５５５７２号公報
【発明の概要】
【発明が解決しようとする課題】
【０００４】
ところで、電気自動車から充放電スタンドに供給された電力を利用する場合、供給された電力が多いほど、それらの電力を有効に活用できる可能性が高くなる。したがって、少しでも多くの電力を電気自動車から供給してもらえるように、ユーザの意識（電力を供給しようという意識）を高めることが重要となる。しかしながら、前述した充放電装置では、電気自動車から充放電スタンドに電力を供給した場合に、その対価として現金が支払われるのみであり、ユーザの電力供給意識を高めるという観点に立つと、改善の余地がある。
【０００５】
本発明は、電力を供給しようという意識を高めることができる放電制御装置及び放電制御方法を提供することを目的の１つとする。
【課題を解決するための手段】
【０００６】
本発明の一態様に係る放電制御装置は、放電器により送信されるビーコン信号に含まれる前記放電器を特定する識別情報を、ユーザが操作する携帯端末から受信する第１受信部と、前記放電器の給電ケーブルが車両に接続された場合に、当該車両に搭載されるバッテリから電力を放電することに対して付与される報酬の種別及び前記バッテリから放電できる充電率の下限を設定するための画面情報を前記携帯端末に送信する送信部と、前記報酬の種別及び前記放電できる充電率の下限を含む情報を、前記携帯端末から受信する第２受信部と、前記報酬の種別に対応する外部システムに前記報酬を付与するように依頼し、放電を開始するように前記放電器に要求する制御部と、を備える。
【０００７】
上記態様において、前記第１受信部は、前記放電器に対応するバーコード情報を、前記携帯端末からさらに受信し、前記制御部は、前記識別情報及び前記バーコード情報に基づいて、前記放電器を特定することとしてもよい。
【０００８】
上記態様において、前記第１受信部は、前記携帯端末が存在する位置を示す位置情報を、前記携帯端末からさらに受信し、前記制御部は、前記位置情報と前記放電器の設置位置との整合性を判定することとしてもよい。
【０００９】
上記態様において、前記制御部は、前記バッテリから前記放電器に供給された電力を、電力系統に送電させることとしてもよい。
【００１０】
本発明の他の態様に係る放電制御方法は、プロセッサにより実行される放電制御方法であって、放電器により送信されるビーコン信号に含まれる前記放電器を特定する識別情報を、ユーザが操作する携帯端末から受信するステップと、前記放電器の給電ケーブルが車両に接続された場合に、当該車両に搭載されるバッテリから電力を放電することに対して付与される報酬の種別及び前記バッテリから放電できる充電率の下限を設定するための画面情報を前記携帯端末に送信するステップと、前記報酬の種別及び前記放電できる充電率の下限を含む情報を、前記携帯端末から受信するステップと、前記報酬の種別に対応する外部システムに前記報酬を付与するように依頼し、放電を開始するように前記放電器に要求するステップと、を含む。
【００１１】
なお、本発明において、「部」や「装置」、「システム」とは、単に物理的手段を意味するものではなく、その「部」や「装置」、「システム」が有する機能をソフトウェアによって実現する場合も含む。また、１つの「部」や「装置」、「システム」が有する機能が２つ以上の物理的手段や装置により実現されても、２つ以上の「部」や「装置」、「システム」の機能が１つの物理的手段や装置により実現されても良い。
【発明の効果】
【００１２】
本発明によれば、電力を供給しようという意識を高めることができる放電制御装置及び放電制御方法を提供することができる。
【図面の簡単な説明】
【００１３】
【図１】実施形態に係る充放電制御システムの構成を例示する図である。
【図２】図１に示す充放電制御サーバの機能構成を例示する図である。
【図３】実施形態に係る充放電制御システムにおける放電制御の処理手順を例示するシーケンスチャートである。
【図４】図１に示す充放電制御サーバのハードウェア構成を例示する図である。
【図５】図１に示す携帯端末のハードウェア構成を例示する図である。
【発明を実施するための形態】
【００１４】
以下、図面を参照して本発明の実施形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１５】
図１乃至図５は、実施形態を説明するための図である。これらの図を参照しながら、以下の流れに沿って実施形態を説明する。まず、＜１＞で実施形態に係る充放電制御システムの概要を説明する。続いて、＜２＞で充放電制御サーバの機能構成を説明し、＜３＞で充放電制御システムにおける処理手順を説明する。続いて、＜４＞で充放電制御サーバ及び携帯端末のハードウェア構成を説明し、＜５＞で本実施形態の効果を説明し、＜６＞で変形例について説明する。
【００１６】
＜１．充放電制御システムの概要＞
図１を参照し、実施形態に係る充放電制御システム１の構成について説明する。充放電制御システム１は、例えば、充放電制御サーバ（放電制御装置）１０と、ユーザＵが操作する携帯端末２０と、充放電スタンド（放電器）３０と、報酬付与システム（外部システム）４０とを備える。
【００１７】
充放電制御サーバ１０、携帯端末２０、充放電スタンド３０及び報酬付与システム４０は、それぞれネットワークＮを介して有線又は無線により、相互に通信することができる。ネットワークＮは、例えばインターネット等により実現することができ、内部に無線ＬＡＮのアクセスポイントや携帯電話の基地局等を含むことができる。充放電制御サーバ１０と充放電スタンド３０との間の通信は、例えば、Ｏｐｅｎ  Ｃｈａｒｇｅ  Ｐｏｉｎｔ  Ｐｒｏｔｏｃｏｌ（ＯＣＰＰ）に基づいて制御される。
【００１８】
携帯端末２０は、例えば、スマートフォン等の携帯電話や、タブレット型端末、ＰＤＡ（Ｐｅｒｓｏｎａｌ  Ｄｉｇｉｔａｌ  Ａｓｓｉｓｔａｎｔ）等により実現することができる。
【００１９】
携帯端末２０は、充放電スタンド３０から発信される、例えばＢｌｕｅｔｏｏｔｈ（登録商標）によるビーコン信号を受信した場合に、そのビーコン信号に含まれる充放電スタンド３０の識別信号を、充放電制御サーバ１０に送信する。これにより、携帯端末２０は、識別信号に対応する充放電スタンド３０に関する情報を充放電制御サーバ１０から取得することができる。携帯端末２０は、取得した充放電スタンド３０に関する情報を、例えばポップアップ表示によりディスプレイに表示させる。
【００２０】
充放電制御システム１において、ユーザＵは、電気自動車である車両ＥＶ及び携帯端末２０を使用する。ユーザＵは、充放電スタンド３０の給電ケーブル３１に車両ＥＶを接続し、充放電スタンド３０から車両ＥＶに搭載されたバッテリへの充電や、車両ＥＶのバッテリから放電させた電力を充放電スタンド３０に供給させる操作を行う。このとき、ユーザＵは、携帯端末２０にインストールされた充放電用アプリケーションプログラム（以下、「充放電用アプリ」ともいう。）による案内画面に従って充放電スタンド３０を操作することで、充電や放電の開始を指示する。
【００２１】
充放電制御サーバ１０は、ネットワークＮを介して、携帯端末２０及び充放電スタンド３０と逐次通信しながら、充放電スタンド３０と車両ＥＶとの間の充電や放電を制御する。充放電制御サーバ１０は、充放電の状況を充放電スタンド３０から受信し、充放電の状況や充放電の完了等を携帯端末２０に通知する。充放電制御サーバ１０における充電機能や放電機能の詳細は、後述する。
【００２２】
なお、図１に示す充放電制御サーバ１０、携帯端末２０、充放電スタンド３０及び報酬付与システム４０は、便宜上それぞれ１台ずつ示しているが、それぞれについて、充放電制御システム１内に複数台備えることが可能である。例えば、報酬付与システム４０は、後述する報酬の種別ごとに設けることができる。
【００２３】
＜２．充放電制御サーバの機能構成＞
図２を参照し、本実施形態に係る充放電制御サーバ１０の機能構成を説明する。同図に示すように、充放電制御サーバ１０は、機能的な構成として、例えば、受信部１１１、送信部１１２、放電制御部１１３及び充電制御部１１４を有する。ＤＢ（データベース）１２０は、例えば、充放電スタンド情報１２１、車両情報１２２、報酬情報１２３等を記憶する。
【００２４】
充放電スタンド情報１２１は、充放電スタンド３０に関する情報を格納し、データ項目として、例えば、充放電スタンドＩＤ項目、コネクタＩＤ項目、位置情報項目、電力情報項目等を有する。充放電スタンドＩＤは、充放電スタンド３０を特定する識別情報である。コネクタＩＤは、給電用のコネクタを特定する識別情報である。位置情報は、充放電スタンド３０が設置されている位置を示す情報である。電力情報は、例えば、普通充電時及び急速充電時に充電可能な電力に関する情報や、放電受け付け時に受け付け可能な電力に関する情報等を含む。
【００２５】
車両情報１２２は、車両ＥＶに関する情報を格納し、データ項目として、例えば、車両ＩＤ項目、車種ＩＤ項目、バッテリＩＤ項目、電力情報項目等を有する。車両ＩＤは、車両ＥＶを特定する識別情報である。車種ＩＤは、車両ＥＶの車種を特定する識別情報である。バッテリＩＤは、車両ＥＶに搭載されるバッテリを特定する識別情報である。電力情報は、例えば、車両ＥＶのバッテリに蓄電可能な電力に関する情報や、バッテリに充電する際の電力に関する情報、バッテリから放電する際の電力に関する情報等を含む。
【００２６】
報酬情報１２３は、報酬付与システム４０から付与される報酬に関する情報を格納し、データ項目として、例えば、業者ＩＤ項目、報酬情報項目等を有する。業者ＩＤは、例えばポイントやクーポン等の報酬を付与する業者を特定する識別情報である。報酬情報は、業者がユーザＵに付与する報酬に関する情報等を含む。
【００２７】
なお、上述した充放電スタンド情報１２１、車両情報１２２、報酬情報１２３等の各種データを登録するデータベースの構成、並びに各種データを構成するデータ項目の内容及び組み合わせは一例に過ぎず、データベースの構成やデータ項目の内容及び組み合わせは、運用するシステムに合わせて適宜変更することができる。
【００２８】
放電制御部１１３は、ユーザＵが充放電スタンド３０で「放電」を選択した場合に実行される放電に関する各種の処理を制御する。充電制御部１１４は、ユーザＵが充放電スタンド３０で「充電」を選択した場合に実行される充電に関する各種の処理を制御する。
【００２９】
受信部１１１は、放電制御部１１３及び充電制御部１１４により制御される各種の処理に従って、携帯端末２０、充放電スタンド３０又は報酬付与システム４０から送信される各種の情報を受信する。送信部１１２は、放電制御部１１３及び充電制御部１１４により制御される各種の処理に従って、携帯端末２０、充放電スタンド３０又は報酬付与システム４０に各種の情報を送信する。
【００３０】
以下において、放電制御部１１３により制御される放電に関する各種の処理について説明する。
【００３１】
放電制御部１１３は、ビーコン信号に含まれる充放電スタンドＩＤを携帯端末２０から受信した場合に、その充放電スタンドＩＤに対応する充放電スタンド情報１２１を携帯端末２０に送信する。具体的に、放電制御部１１３は、携帯端末２０から受信した充放電スタンドＩＤをキーとしてＤＢ１２０を検索し、充放電スタンドＩＤに対応する充放電スタンド情報１２１を取得して携帯端末２０に送信する。
【００３２】
充放電スタンドＩＤは、充放電スタンド３０が発信するビーコン信号に含まれる情報であり、ビーコン信号を受信した携帯端末２０により充放電制御サーバ１０に送信される。具体的に説明する。最初に、携帯端末２０は、充放電スタンド３０の近傍に移動すると、ビーコン信号を受信する。続いて、携帯端末２０は、受信したビーコン信号に含まれる充放電スタンドＩＤを充放電制御サーバ１０に送信する。これにより、充放電制御サーバ１０は、携帯端末２０から送信された充放電スタンドＩＤを受信する。
【００３３】
放電制御部１１３は、上記充放電スタンドＩＤに加え、携帯端末２０の位置情報を携帯端末２０から受信した場合に、その携帯端末２０の位置情報と、充放電スタンドＩＤに対応する充放電スタンド３０の位置情報とを比較して、位置の整合性を判定する。位置の整合性は、例えば、携帯端末２０が充放電スタンド３０の近傍に存在するかどうかにより判定することができる。また、携帯端末２０の位置情報は、例えば、携帯端末２０に搭載されるＧＰＳ機能により測定することができる。
【００３４】
放電制御部１１３は、上記充放電スタンドＩＤに加え、バーコード情報を携帯端末２０から受信した場合に、そのバーコード情報に含まれる充放電スタンドＩＤと、受信した充放電スタンドＩＤとを比較し、一致する場合に、位置の整合性があると判定する。バーコード情報は、例えば、充放電スタンドＩＤやコネクタＩＤ等の情報を含み、充放電スタンド３０や給電ケーブル３１のコネクタ付近に表示又は貼り付けることができる。バーコード情報は、一次元バーコード、二次元バーコードのいずれであってもよく、携帯端末２０の読取機能を用いて読み取ることができる。
【００３５】
ここで、充放電スタンド３０と携帯端末２０との間の位置の整合性を、充放電スタンドＩＤに加え、携帯端末２０の位置情報やバーコード情報を用いて判定することで、充放電スタンド３０の近傍に携帯端末２０が存在するかどうかの判定精度を高めることができる。
【００３６】
放電制御部１１３は、放電選択通知を携帯端末２０から受信した場合に、その放電選択通知を充放電スタンド３０に送信する。放電選択通知は、ユーザが「放電」を選択したことを通知するためのメッセージであり、放電時に使用する充放電スタンド３０の充放電スタンドＩＤやコネクタＩＤを含むことができる。
【００３７】
放電制御部１１３は、車両充電情報を充放電スタンド３０から受信した場合に、設定画面情報を携帯端末２０に送信する。
【００３８】
車両充電情報には、例えば、充放電スタンド３０に接続された車両ＥＶに関する情報や、車両ＥＶに搭載されるバッテリの充電状態に関する情報が含まれる。車両ＥＶに関する情報には、例えば、車両ＩＤや車種ＩＤ、バッテリＩＤが含まれる。バッテリの充電状態に関する情報には、例えば、バッテリの充電率（残容量、ＳＯＣ）が含まれる。
【００３９】
車両充電情報は、例えば、以下のように充放電スタンド３０から送信させることができる。最初に、充放電スタンド３０は、給電ケーブル３１のコネクタに接続された車両ＥＶから、車両ＥＶに関する情報やバッテリの充電状態に関する情報を取得する。続いて、充放電スタンド３０は、取得した情報を車両充電情報として充放電制御サーバ１０に送信する。ここで、給電ケーブル３１を通じて車両充電情報を取得できない場合もある。したがって、車両充電情報を取得して充放電制御サーバ１０に送信することは必須の要件ではない。これを踏まえ、例えば、充放電スタンド３０は、給電ケーブル３１が車両ＥＶに接続されたことを充放電制御サーバ１０に通知し、この通知を受信した充放電制御サーバ１０の放電制御部１１３が、設定画面情報を携帯端末２０に送信することとしてもよい。この場合、車両充電情報を取得できるケースでは、上記通知に加え、車両充電情報を送信することとしてもよい。
【００４０】
設定画面情報は、ユーザＵが「放電」を選択したときに設定する情報を携帯端末２０から入力するための画面情報である。放電を選択したときに設定する情報として、例えば、車両ＥＶのバッテリから電力を放電することに対して付与される報酬の種別、及びバッテリから放電できる充電率の下限等がある。
【００４１】
報酬の種別は、例えば、報酬を付与する業者やサービス名と、ポイントやクーポン等の報酬の内容との組合わせにより定めることができる。具体的に、ネット通販サイト「Ｒ市場」のポイント、ネット通販サイト「Ｙショッピング」のポイント、ハンバーガーショップ「Ｍ」のクーポン、コーヒーショップ「Ｓ」のクーポン、航空会社「Ａ」のマイル等を、報酬の種別として設定することができる。報酬の種別は、予め指定された報酬の種別の中から任意に選択して設定できるようにしてもよい。
【００４２】
放電できる充電率の下限は、ユーザＵが任意に設定することができる。ここで、放電できる充電率の下限が設定画面上で設定されたときに、放電に要する推定待ち時間や、その放電で仮に換金した場合に支払われる金額等を携帯端末２０の画面上に表示することとしてもよい。
【００４３】
放電制御部１１３は、設定画面に設定された情報を携帯端末２０から受信した場合に、依頼メッセージを報酬付与システム４０に送信する。依頼メッセージは、ユーザが設定画面で設定した報酬の種別に対応する報酬をユーザに付与するように報酬付与システム４０に依頼するためのメッセージである。
【００４４】
放電制御部１１３は、放電を開始する条件が満たされた場合に、充放電スタンド３０に放電開始要求を送信する。放電開始要求は、バッテリからの放電を開始するように、充放電スタンド３０に要求するためのメッセージである。放電を開始する条件には、例えば、報酬付与の依頼メッセージに対する報酬付与システム４０からの回答が、報酬の付与が可能であることを示すこと等が含まれる。
【００４５】
放電制御部１１３は、放電完了通知を充放電スタンド３０から受信した場合に、その放電完了通知を報酬付与システム４０に送信する。放電完了通知は、放電が完了したことを通知するためのメッセージである。この放電完了通知は、例えば、車両ＥＶのバッテリの充電率が、ユーザが設定画面で設定した充電率の下限に到達した場合に、充放電スタンド３０から送信される。
【００４６】
放電制御部１１３は、報酬付与通知を報酬付与システム４０から受信した場合に、その報酬付与通知を携帯端末２０に送信する。報酬付与通知は、報酬付与システム４０によりユーザに報酬が付与されたことを通知するためのメッセージである。
【００４７】
ここで、車両ＥＶのバッテリから充放電スタンド３０に供給された電力は、充放電スタンド３０のバッテリに蓄電されるとともに、適宜、電力系統に送電（売電）することとしてもよい。電力系統に送電する場合、例えば、充放電制御サーバ１０の放電制御部１１３が、電力系統への送電指示を充放電スタンド３０に送信し、その送電指示を受信した充放電スタンド３０が電力系統に送電することとしてもよい。
【００４８】
充電制御部１１４により制御される充電に関する各種の処理について、以下に説明する。
【００４９】
充電制御部１１４は、充電選択通知を携帯端末２０から受信した場合に、その充電選択通知を充放電スタンド３０に送信する。充電選択通知は、ユーザが「充電」を選択したことを通知するためのメッセージであり、充電時に使用する充放電スタンド３０の充放電スタンドＩＤやコネクタＩＤを含むことができる。
【００５０】
充電制御部１１４は、充電している際にユーザＵが利用可能なクーポンの発行を報酬付与システム４０に対して要求し、報酬付与システム４０により発行されたクーポンを携帯端末２０に送信する。クーポンは、充放電スタンド３０から一定距離内にある店舗で利用できるクーポンであることが好ましく、さらに、充電に要する時間や充電する電力量等応じてクーポンの内容を変更することとしてもよい。
【００５１】
充電制御部１１４は、充電を開始する条件が満たされた場合に、充放電スタンド３０に充電開始要求を送信する。充電開始要求は、車両ＥＶのバッテリへの充電を開始するように、充放電スタンド３０に要求するためのメッセージである。充電を開始する条件には、例えば、携帯端末２０が決済可能な状態になっていること等が含まれる。
【００５２】
充電制御部１１４は、充電完了通知を充放電スタンド３０から受信した場合に、その充電完了通知を携帯端末２０に送信する。充電完了通知は、充電が完了したことを通知するためのメッセージである。この充電完了通知は、例えば、車両ＥＶのバッテリへの充電が終了した場合に、充放電スタンド３０から送信される。充電完了通知を受信した携帯端末２０は、充電完了通知に含まれる充電量等の情報に基づき、充電に要した費用の決済処理を実行する。
【００５３】
＜３．充放電制御システムにおける処理手順＞
図３を参照し、充放電制御システム１における放電制御の処理手順について、その一例を説明する。なお、後述の各処理ステップは、処理内容に矛盾を生じない範囲で、任意に順番を変更し、又は並列に実行することができる。また、各処理ステップ間に他のステップを追加することもできる。さらに、便宜上１つのステップとして記載しているステップを複数のステップに分けて実行することもでき、便宜上複数に分けて記載しているステップを１つのステップとして実行することもできる。
【００５４】
最初に、充放電スタンド３０は、定期的にｉＢｅａｃｏｎ（登録商標）に基づくビーコン信号を発信する（ステップＳ１０１）。
【００５５】
続いて、ユーザＵが充放電スタンド３０の近傍に移動すると、携帯端末２０の充放電用アプリが、ビーコン信号を受信し、受信したビーコン信号から抽出した充放電スタンドＩＤを充放電制御サーバ１０に送信する（ステップＳ１０２）。このとき、携帯端末２０の充放電用アプリは、併せて携帯端末２０の位置情報を充放電制御サーバ１０に送信する。さらに、ユーザＵが携帯端末２０を用いてバーコードを読み取った場合には、バーコード情報を充放電制御サーバ１０に送信する。
【００５６】
続いて、充放電制御サーバ１０は、上記ステップＳ１０２で送信された充放電スタンドＩＤをキーとしてＤＢ１２０を検索し、充放電スタンドＩＤに対応する充放電スタンド情報１２１を取得するとともに、その取得した充放電スタンド情報１２１を携帯端末２０に送信する（ステップＳ１０３）。
【００５７】
ここで、充放電制御サーバ１０は、受信した携帯端末２０の位置情報を、充放電スタンド情報１２１に含まれる充放電スタンド３０の位置情報と比較し、位置の整合性を判定することとしてもよい。また、充放電制御サーバ１０は、受信したバーコード情報に含まれる充放電スタンドＩＤを、上記ステップＳ１０２で受信した充放電スタンドＩＤと比較し、位置の整合性を判定することとしてもよい。
【００５８】
これらの整合性の判定により、例えば、携帯端末２０が充放電スタンド３０の近傍に存在しないと判定された場合に、充放電制御サーバ１０は、ユーザＵの操作状況等を、監視情報として記憶することとしてもよい。これは、携帯端末２０を所持するユーザＵが、充放電スタンド３０から離れた場所でハッキング等の不正なアクセスを試みることが起こり得ることを想定したものである。双方の位置情報や充放電スタンドＩＤが整合しない場合に、ユーザの操作状況等を監視情報として記憶しておくことで、不正利用等の問題が発生した場合に、記憶した監視情報を利用して問題の解決を図ることが可能となる。
【００５９】
続いて、ユーザＵが携帯端末２０の充放電用アプリによる操作案内画面に従って、車両ＥＶから放電することを選択する（ステップＳ１０４）と、放電が選択されたことを示す放電選択通知が、携帯端末２０から充放電制御サーバ１０に送信される（ステップＳ１０５）。
【００６０】
続いて、充放電制御サーバ１０は、放電選択通知により特定される充放電スタンド３０に対し、放電選択通知を送信する（ステップＳ１０６）。
【００６１】
続いて、ユーザＵが充放電スタンド３０の給電ケーブル３１を車両ＥＶに接続する（ステップＳ１０７）と、充放電スタンド３０は、車両ＥＶに関する情報や、車両ＥＶのバッテリの充電状態に関する情報を車両ＥＶから取得し、その取得した情報を車両充電情報として充放電制御サーバ１０に送信する（ステップＳ１０８）。ここで、上述したように、給電ケーブル３１を通じて車両充電情報を取得できない場合もある。したがって、そのような場合を踏まえ、上記ステップＳ１０８において、充放電スタンド３０は、給電ケーブル３１が車両ＥＶに接続されたことを通知するとともに、車両充電情報を取得できる場合に限り、上記通知に加えて車両充電情報を送信することとしてもよい。
【００６２】
続いて、充放電制御サーバ１０は、放電に対して付与される報酬の種別及び放電できる充電率の下限を設定する画面を表示するための設定画面情報を携帯端末２０に送信する（ステップＳ１０９）。
【００６３】
続いて、ユーザＵが、携帯端末２０に表示された設定画面を利用して報酬の種別及び充電率の下限を設定する（ステップＳ１１０）と、設定された情報が充放電制御サーバ１０に送信される（ステップＳ１１１）。
【００６４】
続いて、充放電制御サーバ１０は、上記ステップＳ１１０で設定された報酬の種別に対応する報酬をユーザに付与するように依頼するためのメッセージを、報酬付与システム４０に送信する（ステップＳ１１２）。
【００６５】
続いて、報酬付与システム４０は、上記ステップＳ１１２で送信されたメッセージに対する回答を充放電制御サーバ１０に送信する（ステップＳ１１３）。
【００６６】
続いて、充放電制御サーバ１０は、報酬付与システム４０から送信された回答を携帯端末２０に送信する（ステップＳ１１４）。
【００６７】
ここで、携帯端末２０は、上記ステップＳ１１４で送信された回答の内容が、報酬の付与が不可能であることを示す場合（ステップＳ１１５；ＮＯ）に、その旨のメッセージを、例えばポップアップ表示により設定画面上に表示させる。この場合、ユーザＵは、設定画面に設定されている報酬の種別を他の種別に変更する（ステップＳ１１０）。言い換えると、上記ステップＳ１１３で報酬付与システム４０から送信される回答が、報酬の付与が可能であることを示すまで、上述したステップＳ１１０からステップＳ１１４までの処理を繰り返し実行することになる。
【００６８】
一方、上記ステップＳ１１３で報酬付与システム４０から送信される回答が、報酬の付与が可能であることを示す場合（ステップＳ１１６；ＹＥＳ）に、充放電制御サーバ１０は、放電開始要求を充放電スタンド３０に送信する（ステップＳ１１７）。これにより、充放電スタンド３０は、車両ＥＶのバッテリから放電された電力を、充放電スタンド３０のバッテリに蓄電する（ステップＳ１１８）。
【００６９】
続いて、充放電スタンド３０は、車両ＥＶのバッテリの充電率が、上記ステップＳ１１０で設定画面に設定された充電率の下限に到達すると、放電完了通知を充放電制御サーバ１０に送信し（ステップＳ１１９）、充放電制御サーバ１０は、受信した放電完了通知を報酬付与システム４０に送信する（ステップＳ１２０）。
【００７０】
続いて、報酬付与システム４０は、報酬を付与したことを通知する報酬付与通知を充放電制御サーバ１０に送信し（ステップＳ１２１）、充放電制御サーバ１０は、受信した報酬付与通知を携帯端末２０に送信する（ステップＳ１２２）。これにより、ユーザＵは、上記ステップＳ１１０で設定画面に設定した報酬の種別に対応する報酬が付与されたことを確認することができる。そして、本動作を終了する。
【００７１】
ここで、報酬付与システム４０が報酬付与通知を充放電制御サーバ１０に送信するタイミングは、放電完了通知を受信した後には限定されない。例えば、上記ステップＳ１１３で報酬付与システム４０が報酬の付与が可能である旨の回答を送信するとき又はその後に報酬付与通知を送信することとしてもよいし、上記ステップＳ１１７で充放電制御サーバ１０が放電開始要求を送信し、その旨を通知するためのメッセージを報酬付与システム４０に送信した後に報酬付与通知を送信することとしてもよい。
【００７２】
＜４．充放電制御システムのハードウェア構成＞
図４及び図５を参照し、本実施形態に係る充放電制御システム１を構成する充放電制御サーバ１０及び携帯端末２０のハードウェア構成を説明する。
【００７３】
＜４．１．充放電制御サーバのハードウェア構成＞
図４を参照し、充放電制御サーバ１０のハードウェア構成を説明する。同図に示すように、充放電制御サーバ１０は、プロセッサ１５０と、通信Ｉ／Ｆ（インタフェース）１６０と、記憶装置１７０と、表示装置１８０と、入力装置１９０とを備え、各装置はバスラインを介して接続される。
【００７４】
プロセッサ１５０は、例えば、ＣＰＵ（Ｃｅｎｔｒａｌ  Ｐｒｏｃｅｓｓｉｎｇ  Ｕｎｉｔ）、並びに、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等のメモリ１５１を含む。プロセッサ１５０は、例えば、記憶装置１７０に記憶されるプログラム１７１を実行することにより、一般的な情報処理装置としての機能に加え、上述した充放電制御サーバ１０の各機能を実現する。ＲＡＭは、ＣＰＵが各種機能を実現する際のワークエリアとして使用され、例えば、実行されるプログラム１７１やＤＢ１７２に格納されるデータの一部又は全部を一時的に保持する。
【００７５】
通信Ｉ／Ｆ１６０は、携帯端末２０、充放電スタンド３０及び報酬付与システム４０等の外部の装置との間で、ネットワークＮを介したデータ通信を行うためのハードウェアモジュールである。
【００７６】
記憶装置１７０は、例えば、ＨＤＤ（Ｈａｒｄ  Ｄｉｓｋ  Ｄｒｉｖｅ）やフラッシュメモリ等の不揮発性の記憶媒体である。記憶装置１７０は、プログラム１７１及びＤＢ１７２を格納し、例えば、オペレーティングシステム（ＯＳ）、アプリケーション及びデータを記憶する。ＤＢ１７２に記憶される各種データは、必要に応じてＲＡＭ等にロードされ、ＣＰＵにより参照される。
【００７７】
表示装置１８０は、管理者に情報を表示するためのディスプレイである。表示装置１８０として、例えば、液晶ディスプレイ、有機ＥＬ（Ｅｌｅｃｔｒｏ−Ｌｕｍｉｎｅｓｃｅｎｃｅ）ディスプレイ等を用いることができる。入力装置１９０は、管理者から入力を受け付けるためのデバイスである。入力装置１９０として、例えば、キーボード、マウス、タッチパネル等を用いることができる。
【００７８】
なお、充放電制御サーバ１０は、表示装置１８０及び入力装置１９０を必ずしも備える必要はない。また、表示装置１８０及び入力装置１９０は、ＵＳＢ（Ｕｎｉｖｅｒｓａｌ  Ｓｅｒｉａｌ  Ｂｕｓ）やディスプレイポート等の各種インタフェースを介して外部から充放電制御サーバ１０に接続されてもよい。
【００７９】
＜４．２．携帯端末のハードウェア構成＞
図５を参照し、携帯端末２０のハードウェア構成を説明する。同図に示すように、携帯端末２０は、プロセッサ２５０と、通信Ｉ／Ｆ２６０と、ＧＰＳセンサ２６５と、読取装置２６６と、記憶装置２７０と、表示装置２８０と、入力装置２９０とを備え、各装置はバスラインを介して接続される。
【００８０】
プロセッサ２５０は、例えば、ＣＰＵ、並びにＲＯＭ及びＲＡＭ等のメモリ２５１を含む。プロセッサ２５０は、例えば、記憶装置２７０に記憶されるプログラム２７１を実行することにより、一般的な情報処理装置としての機能に加え、上述した携帯端末２０の各機能を実現する。プログラム２７１には、上述した充放電用アプリが含まれる。ＲＡＭは、ＣＰＵが各種機能を実現する際のワークエリアとして使用され、例えば、実行されるプログラム２７１やＤＢ２７２に格納されるデータの一部又は全部を一時的に保持する。
【００８１】
通信Ｉ／Ｆ２６０は、充放電制御サーバ１０、充放電スタンド３０及び報酬付与システム４０等の外部の装置との間で、ネットワークＮを介したデータ通信を行うためのハードウェアモジュールである。通信Ｉ／Ｆ２６０には、例えば、充放電スタンド３０から定期的に送信されるＢｌｕｅｔｏｏｔｈ（登録商標）通信によるビーコン信号を受信するためのＢｌｕｅｔｏｏｔｈ（登録商標）通信Ｉ／Ｆが含まれる。
【００８２】
ＧＰＳセンサ２６５は、携帯端末２０の存在する位置を特定するための位置情報を検出するセンサである。読取装置２６６は、例えばカメラであり、バーコード情報等を読み取る読取機能を有する。
【００８３】
記憶装置２７０は、例えばＨＤＤやフラッシュメモリ等の不揮発性の記憶媒体である。記憶装置２７０は、プログラム２７１及びＤＢ２７２を格納し、例えば、オペレーティングシステム、アプリケーション及びデータを記憶する。ＤＢ２７２に記憶される各種データは、必要に応じてＲＡＭ等にロードされ、ＣＰＵにより参照される。
【００８４】
表示装置２８０は、ユーザＵに報知する情報を表示するためのディスプレイである。表示装置２８０として、例えば、液晶ディスプレイ、有機ＥＬディスプレイ等を用いることができる。入力装置２９０は、ユーザＵから入力を受け付けるためのデバイスである。入力装置２９０として、例えば、タッチパネル、各種操作ボタン等を用いることができる。なお、表示装置２８０及び入力装置２９０は、例えばＢｌｕｅｔｏｏｔｈ（登録商標）通信Ｉ／Ｆが通信可能な外部装置として実現することとしてもよい。
【００８５】
＜５．本実施形態の効果＞
以上説明したように、本実施形態に係る充放電制御サーバ１０によれば、充放電スタンド３０により発信されるビーコン信号に含まれる充放電スタンドＩＤを携帯端末２０から受信することで、充放電スタンド３０を特定し、その特定した充放電スタンド３０から、給電ケーブル３１が車両ＥＶに接続されたことを示す通知を受信した場合に、設定画面を携帯端末２０に表示させ、その設定画面で設定された報酬の種別及び放電できる充電率の下限に基づいて、報酬の種別に対応する報酬を付与するように報酬付与システム４０に依頼し、放電を開始するように充放電スタンド３０に要求することができる。
【００８６】
これにより、ユーザは、自身が任意に設定した充電率の下限まで車両ＥＶから電力を供給させることができるとともに、その電力の供給に対する報酬として、自身が任意に設定した報酬の種別に対応する報酬を受け取ることができる。
【００８７】
したがって、車両ＥＶから充放電スタンド３０に電力を供給して報酬を受け取る際のプロセスに多様性をもたせることができるため、充放電スタンド３０に電力を供給しようというユーザの意識を高めることが可能となる。
【００８８】
＜６．変形例＞
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。
【００８９】
例えば、上述した実施形態では、充放電制御サーバ１０、携帯端末２０及び充放電スタンド３０を含む充放電制御システム１に、本発明を適用した場合について説明しているが、本発明を適用可能なシステムは、これに限定されない。例示的に、充放電制御システム１のうち、充電機能を実現するための各構成（例えば、充電制御部１１４等）を省略した、放電制御サーバ（放電制御装置）、携帯端末及び放電スタンド（放電器）を含む放電制御システムに、本発明を適用することができる。この場合、実施形態における充放電用アプリは、放電用アプリとなる。
【符号の説明】
【００９０】
１…充放電制御システム
１０…充放電制御サーバ（放電制御装置）
２０…携帯端末
３０…充放電スタンド（放電器）
３１…給電ケーブル
４０…報酬付与システム（外部システム）
１１１…受信部（第１受信部、第２受信部）
１１２…送信部
１１３…放電制御部（制御部）
１１４…充電制御部
１２０…データベース
１５０…プロセッサ
１５１…メモリ
１７０…記憶装置
ＥＶ…車両
Ｎ…ネットワーク
Ｕ…ユーザ
【要約】
【課題】電力を供給しようという意識を高めることができる放電制御装置を提供する。
【解決手段】充放電スタンドにより送信されるビーコン信号に含まれる充放電スタンドＩＤを、ユーザが操作する携帯端末から受信する受信部１１１と、充放電スタンドの給電ケーブルが車両に接続された場合に、当該車両に搭載されるバッテリから電力を放電することに対して付与される報酬の種別及びバッテリから放電できる充電率の下限を設定するための画面情報を携帯端末に送信する送信部１１２と、報酬の種別及び充電率の下限を含む情報を、携帯端末からさらに受信する受信部１１１と、報酬の種別に対応する報酬を付与するように報酬付与システムに依頼し、放電を開始するように充放電スタンドに要求する放電制御部１１３と、を備える。
【選択図】図２【図１】
0006803949.tif 000002
【図２】
0006803949.tif 000003
【図３】
0006803949.tif 000004
【図４】
0006803949.tif 000005
【図５】
0006803949.tif 000006